【手続補正書】
【提出日】令和1年6月21日(2019.6.21)
【手続補正１】
【補正対象書類名】特許請求の範囲
【補正対象項目名】全文
【補正方法】変更
【補正の内容】
【特許請求の範囲】
【請求項１】
１つ又はそれ以上の負荷装置に電力を供給し、通信データをやり取りするためのネットワーク配電システムのコミッショニングを支援するための支援システムであって、前記ネットワーク配電システムは、１つ以上の電源コネクタを備える、前記１つ以上の電源コネクタに電力を供給するための少なくとも１つの電源と、前記１つ又はそれ以上の負荷装置との間で通信データをやり取りするためのデータ通信インターフェースとを備え、前記支援システムは、
前記電源コネクタとの前記負荷装置の接続／切断を検出するための１つ又はそれ以上の負荷装置検出器と、
前記負荷装置に関して、前記ネットワーク配電システムをコミッショニングするステップを実行するためのコミッショニングツールと、を備え、
前記コミッショニングツールは、前記負荷装置の接続／切断の検出に応答して、前記コミッショニングするステップの少なくともいくつかを自動的に実行し、
前記１つ又はそれ以上の負荷装置検出器は、（i）前記接続及び（ii）前記切断の１つ又はそれ以上を示す情報を生成し、前記コミッショニングツールは、前記コミッショニングするステップの少なくともいくつかを実行する際に、前記情報を利用し、
前記情報は、前記負荷装置が接続及び／若しくは切断されている電源コネクタを示す電源コネクタ情報並びに／又は前記電源コネクタに電力を供給している前記電源を示す電源情報を含み、前記電源コネクタ情報及び／又は前記電源情報は、前記ネットワーク配電システムにおける前記負荷装置の位置に関する情報を示し、前記コミッショニングするステップの少なくともいくつかは、前記位置の情報を考慮に入れる、支援システム。
【請求項２】
前記１つ又はそれ以上の負荷装置検出器は、（i）電力の供給に関連する特性の変化の監視、(ii)前記少なくとも１つの電源と負荷装置との間で実行される電力ネゴシエーションプロセス、及び（iii）機械的プロセスのうちの少なくとも１つに基づいて、前記負荷装置の接続及び／又は切断を検出する、請求項１に記載の支援システム。
【請求項３】
前記コミッショニングするステップの少なくともいくつかは、前記負荷装置に関して、前記データ通信インターフェースをコミッショニングするステップを含む、請求項１に記載の支援システム。
【請求項４】
前記１つ又はそれ以上の負荷装置検出器は、さらに、（iii）前記負荷装置のタイプを示す前記負荷装置の特性を示す情報を生成し、前記コミッショニングツールは、前記コミッショニングするステップの少なくともいくつかを実行する際に、前記情報を利用する、請求項１に記載の支援システム。
【請求項５】
複数の負荷装置が前記電源コネクタに接続され、或る負荷装置が前記電源コネクタから切断されている場合、前記情報は、(i)切断されている負荷装置の識別を示す負荷装置識別情報、(ii)切断されている負荷装置のタイプを示す負荷装置の特性、(iii)前記負荷装置が切断されている前記電源コネクタを示す電源コネクタ情報、及び(iv)前記電源コネクタに電力を供給している電源を示す電源情報、のうちの１つ又はそれ以上を含む、請求項１に記載の支援システム。
【請求項６】
前記負荷装置の特性を示す情報を生成することは、前記負荷装置上でトレーニング手順を実行することを含み、前記トレーニング手順は、前記負荷装置が接続されている前記電源コネクタに、特徴的電力を供給するように前記少なくとも１つの電源を制御すること、及び／又は、前記データ通信インターフェースを介して特徴的なやり方で前記負荷装置を制御することを含む、請求項４に記載の支援システム。
【請求項７】
前記コミッショニングするステップの少なくともいくつかは、前記負荷装置が前記電源コネクタに接続されることが許可されているか否かを決定することを含む、請求項１に記載の支援システム。
【請求項８】
前記負荷装置が前記電源コネクタに接続されることを許可されないと決定される場合、前記コミッショニングツールは、前記負荷装置に電力が供給されないように、前記ネットワーク配電システムを制御するように適合される、請求項７に記載の支援システム。
【請求項９】
前記コミッショニングするステップの少なくともいくつかは、前記負荷装置に関するアプリケーションレベル制御関係を確立するステップを含む、請求項１に記載の支援システム。
【請求項１０】
前記コミッショニングツールは、負荷装置のグループに関する確立されたアプリケーションレベル制御関係を検証し、前記検証することは、前記データ通信インターフェースを介して前記負荷装置のグループを制御することと、前記１つ又はそれ以上の負荷装置検出器からの情報を利用することとを含み、前記情報は、前記制御によって引き起こされる電力の供給に関連する特性の変化を示す、請求項１に記載の支援システム。
【請求項１１】
前記コミッショニングツールは、いずれの電源コネクタによってもまだ電力供給されていない負荷装置に関して前記データ通信インターフェースをコミッショニングするステップを実行し、それに応答して、前記負荷装置が接続された電源コネクタに電力を供給するように及び／若しくは負荷装置がまだ接続されていない電源コネクタに電力を供給するように前記少なくとも１つの電源を制御し、並びに／又は、負荷装置検出器を起動する、請求項１に記載の支援システム。
【請求項１２】
１つ又はそれ以上の負荷装置に電力を供給し、通信データをやり取りするためのネットワーク配電システムであって、前記ネットワーク配電システムは、
１つ又はそれ以上の電源コネクタを備える、前記１つ又はそれ以上の電源コネクタに電力を供給するための少なくとも１つの電源と、
前記１つ又はそれ以上の負荷装置と通信データをやり取りするためのデータ通信インターフェースと、
前記ネットワーク配電システムのコミッショニングを支援するための、請求項１に記載の支援システムと、を備える、
ネットワーク配電システム。
【請求項１３】
１つ又はそれ以上の負荷装置に電力を供給し、通信データをやり取りするためのネットワーク配電システムのコミッショニングを支援するための支援方法であって、前記ネットワーク配電システムは、１つ又はそれ以上の電源コネクタを備える、前記１つ又はそれ以上の電源コネクタに電力を供給するための少なくとも１つの電源と、前記１つ又はそれ以上の負荷装置と通信データをやり取りするためのデータ通信インターフェースとを備え、前記支援方法は、
１つ又はそれ以上の負荷装置検出器によって、負荷装置と電源コネクタとの間の接続及び／又は切断を検出することと、
コミッショニングツールによって、前記負荷装置に関して前記ネットワーク配電システムをコミッショニングするステップを実行することとを、含み、
前記コミッショニングするステップの少なくともいくつかは、前記負荷装置の接続及び／又は切断の検出に応答して自動的に実行され、
前記１つ又はそれ以上の負荷装置検出器は、(i)前記接続及び(ii)前記切断のうちの１つ又はそれ以上を示す情報を生成し、前記コミッショニングツールは、前記コミッショニングするステップの少なくともいくつかを実行する際に前記情報を利用し、
前記情報は、前記負荷装置が接続されている及び／若しくは切断されている前記電源コネクタを示す電源コネクタ情報、並びに／又は、前記電源コネクタに電力を供給している電源を示す電源情報を含み、前記電源コネクタ情報及び／又は前記電源情報は、前記ネットワーク配電システムにおける前記負荷装置の位置に関する情報を示し、前記コミッショニングするステップの少なくともいくつかは、前記位置の情報を考慮に入れる、
支援方法。
【請求項１４】
請求項１に記載された支援システムを制御するためのコンピュータプログラムであって、前記コンピュータプログラムは、該コンピュータプログラムが前記支援システム上で実行される場合に請求項１３に記載された支援方法を前記支援システムに実行させるプログラムコード手段を含む、コンピュータプログラム。